(57)【要約】      （修正有）【課題】構成がシンプルであって眼鏡使用者において容易に着脱を実現し得るマスクを提供する。【解決手段】眼鏡使用者用透明マスクは、透明かつ湾曲変形自在の状態にて眼鏡使用者の顔をガードするプラスチック製のマスク片１の上側の左右両側に雄ネジ３が貫通する孔を設けた上で、眼鏡２のフレーム２１の両側と、マスク片１の左右両側とを、雄ネジ３と雌ネジ４との挟着を介してマスク片１にフレーム２１を装着するか、又はマスク片１を雄ネジ３と雌ネジ４とによって挟持し、かつ雄ネジ３から上側に突設された螺合片５及びフレーム２１側に突設された支持片６によって支持されている回動片７のフレーム２１に対する下側からの支持及び弾性的押圧を介してマスク片１にフレーム２１を装着し、前記挟着又は前記押圧を解放することを介してマスク片１とフレーム２１とを着脱自在とする。【選択図】図２
0003229911.tif 000002
【実用新案登録請求の範囲】
【請求項１】
透明かつ湾曲変形自在の状態にて眼鏡使用者の顔をガードするプラスチック製のマスク片を採用しており、前記マスク片における上側の左右両側に雄ネジが貫通する孔を設けた上で、前記眼鏡のうち、レンズに接続しかつ耳当部を有するフレームの両側を前記孔を貫通している雄ネジによって下側から支持し、かつ前記フレームの両側と、前記マスク片の左右両側とを、前記雄ネジの端部における突起と前記雄ネジに螺合する雌ネジとによって挟着することを介して、前記マスク片に前記フレームを装着する一方、前記挟着状態を解放することを介して、前記マスク片から前記フレームを取り外すことによって、前記マスク片と前記フレームとを前記雄ネジ及び前記雌ネジによって着脱自在としている眼鏡使用者用透明マスク。
【請求項２】
透明かつ湾曲変形自在の状態にて眼鏡使用者の顔をガードするプラスチック製のマスク片を採用しており、前記マスク片における上側の左右両側に雄ネジが貫通する孔を設けた上で、前記孔を貫通している雄ネジの端部における突起と前記雄ネジに螺合する雌ネジとによって前記マスク片を挟持し、かつ前記突起と前記マスク片との間にて前記雄ネジに螺合し、しかも前記突起と前記雌ネジとによって挟持されている螺合片の上端から前記マスク片の反対側に延設された支持片から下方側に回動自在の状態にて突設された回動片が、前記眼鏡のうち、レンズに接続しかつ耳当部を有するフレームの両側を下側から支持しながら前記マスク片側に弾性力を以って押圧することによって前記マスク片に当接することを介して、前記マスク片に前記フレームを装着する一方、前記押圧状態を解放することを介して、前記マスク片から前記フレームを取り外すことによって、前記マスク片と前記フレームとを前記回動片によって着脱自在としている眼鏡使用者用透明マスク。
【請求項３】
前記螺合片と前記回動片との間にて引張りバネを張設することによって前記回動片を前記マスク片側に弾性力を以って押圧していることを特徴とする請求項２記載の眼鏡使用者用透明マスク。
【請求項４】
前記回動片における回動軸の近傍領域のうちマスク片と反対側の後端の位置を、前記支持片が左右両側にて内壁及び外壁によって挟持しており、かつ前記内壁及び前記外壁の何れか一方又は双方が曲げ弾性を有する一方、所定の回動角度から前記回動片が前記螺合片に近付く方向にて前記内壁と前記外壁の隙間を順次大きく設定することによって、前記内壁及び前記外壁が前記後端の位置を前記マスク片側に回動させるような弾性力を以って押圧していることを特徴とする請求項２記載の眼鏡使用者用透明マスク。
【請求項５】
左右両側の中央位置における上下方向ライン及び前記マスク片が前記フレームに対し、装着に伴って当接する位置よりも左右両側の内側であって、かつ前記マスク片の上端と左右両側端とを結ぶ両側ラインにて、前記マスク片が折り曲げ自在であることを特徴とする請求項１、２、３、４の何れか一項に記載の眼鏡使用者用透明マスク。
【請求項６】
前記マスク片の眼鏡側及び／又は当該眼鏡と反対側の面が光線を透過するも反射しない表面構成であることを特徴とする請求項１、２、３、４、５の何れか一項に記載の眼鏡使用者用透明マスク。
【請求項７】
前記マスク片に空気の透過が可能である孔を全領域又は口及び／若しくは鼻を被覆する領域に設けていることを特徴とする請求項１、２、３、４、５、６の何れか一項に記載の眼鏡使用者用透明マスク。
【請求項８】
前記孔の径が０．１ｍｍ以下であることを特徴とする請求項７記載の眼鏡使用者用透明マスク。
【考案の詳細な説明】
【技術分野】
【０００１】
本考案は、眼鏡使用者の顔面をガードする透明マスクを対象としている。
【背景技術】
【０００２】
眼鏡を使用すると否とを問わず、顔面全体をガードするマスクは、全領域を透明状態とするか又は目及びその近傍に対応する領域を透明とする構成が採用されており、このような構成は、特許文献１及び同２に示すように、既に公然と知られている。
【０００３】
然るに、特許文献１及び同２に示すように、このような顔面全体をガードするマスクは、顔面に装着するために必要な大掛かりかつ複雑な構成を採用している。
【０００４】
即ち、特許文献１及び同２においては、透明なマスクの周辺領域において、額、頬、及び顎に当接した状態にて装着するための格別の器具を必要としている。
【０００５】
その結果、このような器具の採用を伴う複雑な構成は、使用の際の着脱が煩雑である一方、装着したイメージが決して良好ではない。
【０００６】
しかも、眼鏡の使用者がマスクを装着する場合について格別の工夫が行われている訳ではない。
【０００７】
尤も、近年透明なマスク片と眼鏡とを一体化した製品が頒布されているが、このような製品は、マスク片と眼鏡のフレームとを着脱自在とするような構成ではない。
【先行技術文献】
【特許文献】
【０００８】
【特許文献１】特表２００１−５０５０８０号公報
【特許文献２】特表２００１−５１４９４８号公報
【考案の概要】
【考案が解決しようとする課題】
【０００９】
本考案は、構成がシンプルであって眼鏡使用者において容易に着脱を実現し得るマスクを提供することを課題としている。
【課題を解決するための手段】
【００１０】
前記課題を解決するため、本考案の基本構成は、
（１）透明かつ湾曲変形自在の状態にて眼鏡使用者の顔をガードするプラスチック製のマスク片を採用しており、前記マスク片における上側の左右両側に雄ネジが貫通する孔を設けた上で、前記眼鏡のうち、レンズに接続しかつ耳当部を有するフレームの両側を前記孔を貫通している雄ネジによって下側から支持し、かつ前記フレームの両側と、前記マスク片の左右両側とを、前記雄ネジの端部における突起と前記雄ネジに螺合する雌ネジとによって挟着することを介して、前記マスク片に前記フレームを装着する一方、前記挟着状態を解放することを介して、前記マスク片から前記フレームを取り外すことによって、前記マスク片と前記フレームとを前記雄ネジ及び前記雌ネジによって着脱自在としている眼鏡使用者用透明マスク、
（２）透明かつ湾曲変形自在の状態にて眼鏡使用者の顔をガードするプラスチック製のマスク片を採用しており、前記マスク片における上側の左右両側に雄ネジが貫通する孔を設けた上で、前記孔を貫通している雄ネジの端部における突起と前記雄ネジに螺合する雌ネジとによって前記マスク片を挟持し、かつ前記突起と前記マスク片との間にて前記雄ネジに螺合し、しかも前記突起と前記雌ネジとによって挟持されている螺合片の上端から前記マスク片の反対側に延設された支持片から下方側に回動自在の状態にて突設された回動片が、前記眼鏡のうち、レンズに接続しかつ耳当部を有するフレームの両側を下側から支持しながら前記マスク片側に弾性力を以って押圧することによって前記マスク片に当接することを介して、前記マスク片に前記フレームを装着する一方、前記押圧状態を解放することを介して、前記マスク片から前記フレームを取り外すことによって、前記マスク片と前記フレームとを前記回動片によって着脱自在としている眼鏡使用者用透明マスク、
からなる。
【考案の効果】
【００１１】
本考案においては、透明かつ湾曲変形自在であるプラスチック製のマスク片における上側の左右両側と眼鏡のフレームの両側とを、基本構成（１）のような雄ネジ及び雌ネジによる挟着及び当該挟着からの解放、又は基本構成（２）のような回動片による押圧及び当該押圧からの解放によって、容易に着脱自在状態とすることができる。
【００１２】
しかも、このようなシンプルな構成は、製造する場合に然したる労力及び経費を要する訳ではなく、経済的コストにおいても有利である。
【００１３】
更には、眼鏡使用者が透明マスクを顔面に装着した場合においても、特許文献１及び同２のような従来技術のように複雑な装着器具を不要としている関係上、極めてスマートなイメージを形成することができ、外観においても従来技術に比し優れている。
【図面の簡単な説明】
【００１４】
【図１】基本構成（１）を示しており、（ａ）は、雄ネジの突起がフレームに当接し、雌ネジがマスク片に当接している状態を示す水平方向側断面図であり、（ｂ）は、雌ネジがフレームに当接し、雄ネジの突起がマスク片に当接している状態を示す水平方向側断面図であり、（ｃ）は、マスク片に眼鏡のフレームを雄ネジ及び雌ネジを介して装着した状態を示す平面図であり、（ｄ）、（ｅ）は、それぞれ眼鏡のフレームをマスク片に装着した状態を示す上側からの側断面図及び斜視図である。
【図２】基本構成（２）を示しており、（ａ）は、回動片がフレームを下側から支持しかつマスク片側に弾性力を以って押圧している状態を示す水平方向側断面図であり、（ｂ）は、マスク片に眼鏡のフレームを回動片を介して装着した状態を示す平面図であり、（ｃ）、（ｄ）は、それぞれ眼鏡のフレームをマスク片に装着した状態を示す上側からの側断面図及び斜視図である。  尚、（ｄ）における点線に示す５、６、７は、螺合片、支持片、及び回動片による一体領域を示す。
【図３】基本構成（２）の回動片による弾性力を以って押圧を実現するための具体的な構成を示しており、（ａ）−１及び（ａ）−２は、螺合片と回動片との間に引張りバネを張設した実施形態を示しており、（ａ）−１は水平方向からの側断面図であり、（ａ）−２は鉛直方向からの側断面図であり、（ｂ）−１及び（ｂ）−２は、回動片における回動軸の近傍領域のうちマスク片と反対側の後端の位置を支持片の内壁及び外壁によって挟持し、かつ当該内壁及び外壁の少なくとも何れか一方が曲げ弾性を有すると共に、回動角度が螺合片に近付くに従って、挟持する幅を広く設定する実施形態を示す上側からの側断面図であって、（ｂ）−１は（ｂ）−２に比し、当該近傍領域の後端が前記弾性力を伴う挟着によってマスク片側に前進している回動状態を示し、逆に（ｂ）−２は（ｂ）−１に比し、当該近傍領域の後端が挟着状態からの解放を介して回動片がマスク片側から後退している状態を示す。  尚、（ａ）−１、（ａ）−２及び（ｂ）−１、（ｂ）−２においては、眼鏡のフレームの図示は省略されている。
【図４】折り曲げ可能なマスク片を採用した実施形態を示す斜視図である。
【考案を実施するための形態】
【００１５】
図１（ａ）、（ｂ）、（ｃ）、（ｄ）、（ｅ）に示すように、基本構成（１）においては、透明かつ湾曲変形自在の状態にて眼鏡使用者の顔をガードするプラスチック製のマスク片１を採用しており、前記マスク片１における上側の左右両側に雄ネジ３が貫通する孔を設けた上で、前記眼鏡２のうち、レンズに接続しかつ耳当部を有するフレーム２１の両側を前記孔を貫通している雄ネジ３によって下側から支持し、かつ前記フレーム２１の両側と、前記マスク片１の左右両側とを、前記雄ネジ３の端部における突起３１と前記雄ネジ３に螺合する雌ネジ４とによって挟着することを介して、前記マスク片１に前記フレーム２１を装着している。
【００１６】
基本構成（１）においては、前記装着に対応して、前記挟着状態を解放することを介して、前記マスク片１から前記フレーム２１を取り外すことによって、前記マスク片１と前記フレーム２１とを前記雄ネジ３及び前記雌ネジ４によって着脱自在とすることができる。
【００１７】
このように、基本構成（１）においては、雄ネジ３と雌ネジ４との螺合を介して、マスク片１を前記雄ネジ３によって下側から支持された状態にある前記フレーム２１に装着していることから、堅固な装着が実現可能である一方、前記螺合による挟着状態を解放することを介して、マスク片１を眼鏡２のフレーム２１から取り外すことが可能である以上、取り外しを容易に実現することができる。
【００１８】
マスク片１及び眼鏡２のフレーム２１に対する雄ネジ３の突起３１及び雌ネジ４の挟着状態については、前記突起３１及び雌ネジ４の何れか一方がマスク片１及びフレーム２１に当接すれば良く、図１（ａ）、（ｂ）に示すように、何れの当接状態をも採用することができる。
尚、雄ネジ３の突起３１がマスク片１に当接している場合には、雄ネジ３の先端が雌ネジ４からフレーム２１側に突出することに帰するが、眼鏡使用者の眼部に突出した先端が衝突することを防止するために、上記突出する部分の長さについては極力小さく設計することが好ましい。
【００１９】
基本構成（２）においては、透明かつ湾曲変形自在の状態にて眼鏡使用者の顔をガードするプラスチック製のマスク片１を採用しており、前記マスク片１における上側の左右両側に雄ネジ３が貫通する孔を設けた上で、前記孔を貫通している雄ネジ３の端部における突起３１と前記雄ネジ３に螺合する雌ネジ４とによって前記マスク片１を挟持し、かつ前記突起３１と前記マスク片１との間にて前記雄ネジ３に螺合し、しかも前記突起３１と前記雌ネジ４とによって挟持されている螺合片５の上端から前記マスク片１の反対側に延設された支持片６から下方側に回動自在の状態にて突設された回動片７が、前記眼鏡２のうち、レンズに接続しかつ耳当部を有するフレーム２１の両側を下側から支持しながら前記マスク片１側に弾性力を以って押圧することによって前記マスク片１に当接することを介して、前記マスク片１に前記フレーム２１を装着している。
【００２０】
基本構成（２）においては、前記装着に対応して、前記回動片７による押圧状態を解放することを介して、前記マスク片１から前記フレーム２１を取り外すことによって、前記マスク片１と前記フレーム２１とを前記回動片７によって着脱自在とすることができる。
尚、回動片７としては、図２（ａ）に示すように、順次下方の位置であり、かつ前記マスク片１に近づくにしたがって上側に反り返るような湾曲形状が、フレーム２１を下側から支持する上で好適である。
【００２１】
このように、基本構成（２）の場合には、前記回動片７による押圧及びその解放という簡単な操作によって、前記マスク片１と前記フレーム２１とを着脱自在とすることができる。
【００２２】
基本構成（２）の弾性力による押圧状態については、様々な実施形態を採用することができる。
【００２３】
典型例としては、図３（ａ）−１、（ａ）−２に示すように、前記螺合片５と前記回動片７との間にて引張りバネ８を張設することによって前記回動片７を前記マスク片１側に弾性力を以って押圧していることを特徴とする実施形態を採用することができる。
【００２４】
引張りバネ８の張設において、螺合片５との結合については、螺合片５自体に引張りバネ８の先端を螺合片５に結合する設計（例えば、螺合片５に設けた孔に引張りバネ８の先端を嵌入する構成、又は螺合片５に対し引張りバネ８の先端を溶着する構成）、及び引張りバネ８の先端を前記螺合片５及び前記突起３１との間に挿入しかつ挟持する構成の何れをも採用することができる。
【００２５】
このように、引張りバネ８を張設する実施形態は、構成がシンプルである点に特徴を有している。
【００２６】
上記実施形態とは別に、図３（ｂ）−１、（ｂ）−２に示すように、前記回動片７における回動軸７１の近傍領域のうちマスク片１と反対側の後端の位置を、前記支持片６が左右両側にて内壁６２及び外壁６１によって挟持しており、かつ前記内壁６２及び前記外壁６１の何れか一方又は双方が曲げ弾性を有する一方、所定の回動角度から前記回動片７が前記螺合片５に近付く方向にて前記内壁６２と前記外壁６１の隙間を順次大きく設定することによって、前記内壁６２及び前記外壁６１が前記後端の位置を前記マスク片１側に回動させるような弾性力を以って押圧していることを特徴とする実施形態が好適な実施形態として選択することができる。
【００２７】
特に、図３（ｂ）に示す実施形態の場合には、引張りバネ８の介在を不要とする点において、デザイン性において優れている。
【００２８】
図１（ｄ）及び図２（ｃ）に示すように、眼鏡２のフレーム２１は、レンズに対し交差状態にて結合している。
【００２９】
しかしながら、マスク片１が湾曲自在であるため、前記交差状態に適用して、マスク片１を眼鏡２のフレーム２１に対し装着することを実現することができる。
但し、マスク片１として、所定の厚みを有しかつ堅固な構成を採用した場合には、前記湾曲変形の程度が少なくなる場合が生ずるが、このような場合には、図４に示すように、左右両側の中央位置における上下方向ライン１１及び前記マスク片１が前記フレーム２１に対し、装着に伴って当接する位置よりも左右両側の内側であって、かつ前記マスク片１の上端と左右両側端とを結ぶ両側ライン１１にて、前記マスク片１が折り曲げ自在であることを特徴とする実施形態によって、前記交差状態に適用することができる。
尚、図４は、図１（ｃ）、（ｄ）、（ｅ）と同様に、図１（ａ）に示すように、雌ネジ４をマスク片１の表側に配置した状態を示すが、図４に示す実施形態は、基本構成（２）においても当然採用することができる。
【００３０】
即ち、図４に示す実施形態は、堅固なマスク片１と交差状態とを十分両立可能な状態としている。
【００３１】
基本構成（１）、（２）において、雄ネジ３の長さとしては、通常４ｍｍ〜１ｃｍの範囲が採用されている。
【００３２】
雄ネジ３の突起３１部分の径としては、通常２ｍｍ〜５ｍｍの範囲が好適に採用されており、雌ネジ４の径としては、通常４ｍｍ〜１ｃｍの範囲が好適に採用されている。
【００３３】
基本構成（２）において、螺合片５の及び支持片６の長さとしては、通常５ｍｍ〜１．５ｃｍが採用されており、回動片７の上側端部から下側端部までの長さとしては、通常７ｍｍ〜２．５ｃｍが採用されている。
【００３４】
以下、実施例に即して説明する。
【実施例１】
【００３５】
実施例１は、マスク片１が折り曲げ自在であることを特徴としている。
【００３６】
このような特徴点によって、眼鏡２の使用者は、マスクを外した場合には、折り畳んだ上で所定のケースに収容することによって保存することが可能となる。
【実施例２】
【００３７】
実施例２は、マスク片１の眼鏡２側及び／又は当該眼鏡２と反対側の面が光線を透過するも反射しない表面構成であることを特徴としている。
【００３８】
このような特徴によって、本発明に係るマスクの使用者はマスク片１の眼鏡２側（裏面）における反射を避けた状態にて外観を十分展望すること及び／又は、第三者において眼鏡２の反対側（表側）における反射を避けた状態にてマスク片１及び眼鏡２の使用者を充分視察することができる。
【実施例３】
【００３９】
実施例３は、マスク片１に空気の透過が可能である孔を全領域又は口及び／若しくは鼻を被覆する領域に設けていることを特徴としている。
【００４０】
このような特徴点によって、本件のマスクの使用者は、顔面内に空気の流入及び流出を実現し、通常のマスクの場合のような息苦しさを免れるという呼吸上の効果を実現することができる。
【００４１】
特に、孔の径として０．１ｍｍ以下の場合には、外観上孔の存在が気付かれないか又は気付くのが極めて困難な状態、即ち孔が存在しない場合の構成と殆ど区別できない状態であって、スマートなイメージによる外観上の効果と上記呼吸上のメリットの双方を実現することができる。
【産業上の利用可能性】
【００４２】
このように本考案の眼鏡使用者用透明マスクは、シンプルな構成を採用した上で、眼鏡のフレームと透明なマスク片とを容易に着脱状態とする一方、デザイン性にも優れており、産業上の利用範囲は絶大である。
【符号の説明】
【００４３】
１    マスク片
１１  折り曲げを形成するライン
２    眼鏡
２１  眼鏡のフレーム
３    雄ネジ
３１  雄ネジの突起
４    雌ネジ
５    螺合片
６    支持片
６１  支持片の外壁
６２  支持片の内壁
７    回動片
７１  回動片の回動軸
８    引張りバネ
【図１】
0003229911.tif 000003
【図２】
0003229911.tif 000004
【図３】
0003229911.tif 000005
【図４】
0003229911.tif 000006